(57)【特許請求の範囲】
【請求項１】
略水平方向に敷設された第１水平管路と該第１水平管路から上方向に急勾配路に敷設された急勾配管路と、該急勾配管路から略水平方向へ敷設された第２水平管路とからなる配線ケーブル収納用管路であり、
該配線ケーブル収納用管路内には、複数本の配線ケーブルからなる折り曲げ困難な配線ケーブル群が複数段に重ねられて収納可能とされてなり、
前記第１水平管路と急勾配管路との境目及び急勾配管路と第２水平管路との境目には各段ごとの配線ケーブル群の浮き上がりを防止する浮き上がり防止機構が設けられ、
該浮き上がり防止機構は、
一端に雌ねじ部が設けられた棒状の基杆と該雌ねじ部内に螺合する雄ねじ部を備えた長さ調整杆とを備えた伸縮自在な浮き上がり防止杆と、前記管路の両側壁に設けられ、前記浮き上がり防止杆の両端が突っ張り状態で係止する円柱状の係止凹部と、を有して構成されたことを特徴とする配線ケーブル収納用管路。
【請求項２】
略水平方向に敷設された第１水平管路と該第１水平管路から上方向に急勾配路に敷設された急勾配管路と、該急勾配管路から略水平方向へ敷設された第２水平管路とからなる配線ケーブル収納用管路であり、
該配線ケーブル収納用管路内には、複数本の配線ケーブルからなる折り曲げ困難な配線ケーブル群が複数段に重ねられて収納可能とされてなり、
前記第１水平管路と急勾配管路との境目及び急勾配管路と第２水平管路との境目には各段ごとの配線ケーブル群の浮き上がりを防止する浮き上がり防止機構が設けられ、
該浮き上がり防止機構は、
一端に雌ねじ部が設けられた棒状の基杆と該雌ねじ部内に螺合する雄ねじ部を備えた長さ調整杆とを備えた伸縮自在な３本の浮き上がり防止杆と、前記管路の両側壁に設けられ、前記３本の浮き上がり防止杆につき、各々の浮き上がり防止杆の両端が突っ張り状態で係止する、前記両側壁の縦方向へ向かい、所定の間隔を有して３箇所に形成された円柱状の係止凹部と、を有して構成されたことを特徴とする配線ケーブル収納用管路。
【発明の詳細な説明】
【０００１】
【産業上の利用分野】
本発明は、一般に鉄道線路近傍位置に設けられ、それら鉄道関連施設に使用される配線ケーブル群を収納する配線ケーブル収納用管路に係り、特に、上下方向へ急勾配を有して敷設される配線ケーブル収納用管路に関するものである。
【従来の技術】
一般に鉄道関連施設に使用される配線ケーブル群を収納する配線ケーブル収納用管路は、主に鉄道の線路脇に設けられ、一般的には該配線ケーブル収納用管路はほぼ直線状にまた水平状に敷設される。
【０００２】
しかし、該敷設路が上下方向に急勾配を有する、いわゆる山谷状になっているときにはその急勾配にあわせて管路も上下方向へ急勾配させて敷設しなければならない。
【０００３】
よって、そのため上下方向へ急勾配する箇所での配線ケーブル収納用管路は図１に示すように急勾配用管路ブロック４を使用し、もって上下方向へ急勾配させて敷設していた。
【０００４】
ところで、近年使用される配線ケーブルはネズミ等がかじることによって生じるケーブル破断あるいはケーブルショート等に対処するため、きわめて頑丈に被覆保護されており、非常に曲げにくいものとなっている。
【０００５】
従って、図３に示すように、上下方向へ急勾配を有する管路であると、収納すべき配線ケーブル群が前記急勾配管路の急勾配に追従できず、これにより上下方向へ急勾配を有する管路内に配線ケーブル群を複数段重ねて無理に収納し得たとしても該配線ケーブル群が浮き上がってしまい管路の蓋が閉められず上方にはみ出してしまうとの不合理が生じていた（図３参照）。
【０００６】
【発明が解決しようとする課題】
かくして、本発明は上記の事情に鑑みてなされたものであり、前記のように近年の配線用ケーブルがネズミ等がかじることによって生じるケーブル破断あるいはケーブルショート等に対処するため、きわめて頑丈に被覆保護されて非常に屈曲しにくいものとなっている場合において、上下方向へ急勾配を有して形成された管路内に前記複数段の配線ケーブル群を収納するとき、前記配線ケーブル群が上方に浮き上がらないよう、管路内に浮き上がり防止機構を設け、配線ケーブル群を長期間確実に収納できる配線ケーブル収納用管路を提供することを目的とするものである。
【課題を解決するための手段】
上記目的を達成するために、本発明に係る配線ケーブル収納用管路は図１のように構成されている。
【０００７】
すなわち、略水平方向に敷設された第１水平管路と該第１水平管路から上方向あるいは下方向に急勾配路に敷設された急勾配管路と、該急勾配管路から略水平方向へ敷設された第２水平管路とからなる配線ケーブル収納用管路であり、
該配線ケーブル収納用管路内には、複数本の配線ケーブルからなる折り曲げ困難な配線ケーブル群が複数段に重ねられて収納可能とされてなり、
前記第１水平管路と急勾配管路との境目及び急勾配管路と第２水平管路との境目には各段ごとの配線ケーブル群の浮き上がりを防止する浮き上がり防止機構が設けられ、
該浮き上がり防止機構は、
一端に雌ねじ部が設けられた棒状の基杆と該雌ねじ部内に螺合する雄ねじ部を備えた長さ調整杆とを備えた伸縮自在な浮き上がり防止杆と、前記管路の両側壁に設けられ、前記浮き上がり防止杆の両端が突っ張り状態で係止する円柱状の係止凹部と、を有して構成されたことを特徴とし、
または、
略水平方向に敷設された第１水平管路と該第１水平管路から上方向に急勾配路に敷設された急勾配管路と、該急勾配管路から略水平方向へ敷設された第２水平管路とからなる配線ケーブル収納用管路であり、
該配線ケーブル収納用管路内には、複数本の配線ケーブルからなる折り曲げ困難な配線ケーブル群が複数段に重ねられて収納可能とされてなり、
前記第１水平管路と急勾配管路との境目及び急勾配管路と第２水平管路との境目には各段ごとの配線ケーブル群の浮き上がりを防止する浮き上がり防止機構が設けられ、
該浮き上がり防止機構は、
一端に雌ねじ部が設けられた棒状の基杆と該雌ねじ部内に螺合する雄ねじ部を備えた長さ調整杆とを備えた伸縮自在な３本の浮き上がり防止杆と、前記管路の両側壁に設けられ、前記３本の浮き上がり防止杆につき、各々の浮き上がり防止杆の両端が突っ張り状態で係止する、前記両側壁の縦方向へ向かい、所定の間隔を有して３箇所に形成された円柱状の係止凹部と、を有して構成されたことを特徴とするものである。
【発明の実施の態様】
以下、本発明の好適な実施例を図に基づいて説明する。
【０００８】
まず、本発明の上方向へ急勾配を有する配線ケーブル収納用管路１は、図１に示すように、複数の水平管路用ブロック２を接続して略水平方向に敷設した第１水平管路３と、該第１水平管路３の一端に接続され、上方向に急勾配に敷設できるよう形成された急勾配用管路ブロック４を使用し、該急勾配用管路ブロック４の端部に急勾配に傾斜させた水平管路用ブロック２を接続し、さらにその端部に、上り傾斜状態を水平状態にする水平状態維持ブロック５を接続して形成した急勾配管路６と、前記水平状態維持ブロック５の端部に前記水平管路用ブロック２を接続して形成した第２水平管路７とにより構成される。
【０００９】
ここで、図２から理解されるように水平管路用ブロック２、急勾配用管路ブロック４あるいは水平状態維持ブロック５は断面略凹状をなして形成されており、この凹状の溝内に配線ケーブル群８が複数段に重ねられて収納されることとなる。
【００１０】
また、急勾配管路ブロック４及び水平状態維持ブロック５には、図２から理解されるようにその両側壁９、９の内側対向面に各々円柱ボタン状をなす係止凹部１０、１０が設けられている。
【００１１】
そしてこの係止凹部１０は側壁９の縦方向へ向かい、所定の間隔を有して３カ所に設けられている。
【００１２】
次に図２において符号１１は浮き上がり防止杆を示すものであり、該浮き上がり防止杆１１は、一端に雌ねじ部１２を備えた長尺丸棒状の基杆１３と、該基杆１３の雌ねじ部１２に螺合する雄ねじ部１４を備えた長さ調整杆１５とを有して構成される。
【００１３】
ここで、この浮き上がり防止杆１１の使用方法はまず対向する係止凹部１０のうち一方側の係止凹部１０に基杆１３の先端部を遊嵌させ、かつ他方側の係止凹部１０に長さ調整杆１５の先端部を遊嵌させる。
【００１４】
その状態から基杆１３を回転させると、雌ねじ部１２から、該雌ねじ部１２に螺合する雄ねじ部１４が螺出して抜けだし、もって浮き上がり防止杆１１の長さ寸法が長くなり、両側壁９、９間で浮き上がり防止杆１１は突っ張り状態で係止固定されることになる。
【００１５】
しかして、本発明による配線ケーブル収納用管路１の使用状態につき説明すると、まず急勾配を有する配線ケーブル管路１内に配線ケーブル群８を収納敷設する。
【００１６】
この際、前記配線ケーブル群８はきわめて頑丈に被覆保護されて非常に屈曲しにくいものとなっているため、通常であると、配線ケーブル群８は図３に示す状態に浮き上がり、当該急勾配を有する配線ケーブル収納用管路に蓋も閉められない状態となる。
【００１７】
そこで、該配線ケーブル収納用管路内に配線ケーブル群８を収納した後、前記浮き上がり防止杆１１を取り付け係止して配線ケーブル群８を浮き上がらないようにし、次にその上に新たな配線ケーブル群８を収納する。
【００１８】
新たな配線ケーブル群８を収納した後、新しい浮き上がり防止杆１１を取り付けて前記の配線ケーブル群８の浮き上がりを防止し、さらに新しい配線ケーブル群８を重ねて収納する。
【００１９】
このように図１、図３に示す急勾配を有する配線ケーブル収納用管路であれば、収納すべき配線ケーブル群８がきわめて頑丈に被覆保護されて非常に屈曲しにくいものとなっていても、複数段に重ねて効率よく収納でき、しかも浮き上がり防止杆１１の配置により収納した配線ケーブル群８が浮き上がることもなく、長時間確実に収納することができる。
【発明の効果】
かくして本発明は以上の構成からなる。
【００２０】
そして本発明による上下方向へ急勾配を有する配線ケーブル収納用管路であれば、収納すべき配線ケーブル群がきわめて頑丈に被覆保護されて非常に屈曲しにくいものであったとしても、該配線ケーブル群を複数段に重ねて効率よく収納でき、しかも浮き上がり防止杆の配置により収納した配線ケーブル群が浮き上がることもなく、長期間の間確実に収納することができるとの優れた効果を奏する。
【図面の簡単な説明】
【図１】本発明による配線ケーブル収納用管路の構成を説明する説明図である。
【図２】本発明による浮き上がり防止機構の構成を説明する説明図である。
【図３】配線ケーブル群の浮き上がり現象を説明する説明図である。
【符号の説明】
１ 急勾配を有する配線ケーブル収納用管路
２ 水平管路用ブロック
３ 第１水平管路
４ 急勾配用管路ブロック
５ 水平状態維持ブロック
６ 急勾配管路
７ 第２水平管路
８ 配線ケーブル群
９ 側壁
１０ 係止凹部
１１ 浮き上がり防止杆
１２ 雌ねじ部
１３ 基杆
１４ 雄ねじ部
１５ 長さ調整杆
【図１】
0004475556.tif 000002
【図２】
0004475556.tif 000003
【図３】
0004475556.tif 000004